(57)【要約】【課題】  携帯電話を用いて少ない通信コストでカメラ制御でき、さらに携帯電話のボタンによる押下操作の操作性を向上させる。【解決手段】  携帯電話において、使用者の所定操作に応じて、携帯電話が有する複数のボタンの押下操作のそれぞれとカメラの制御コマンドのそれぞれとを対応づけておき複数の操作ボタンの押下操作に対応するカメラの制御コマンドをネットワークに送出するように記述されたデータをカメラ制御サービスサーバから受信し、押下操作できる複数のボタンの識別情報と複数の制御コマンドの識別情報との対応関係を、携帯電話のディスプレイに一覧表示する。【選択図】  図４
2005245043.tif 000002
【特許請求の範囲】
【請求項１】
携帯電話を用いて、カメラの制御サービスを提供するカメラ制御サービスサーバに接続し、カメラを制御する方法であって、
前記携帯電話において、使用者の所定操作に応じて、前記携帯電話が有する複数のボタンの押下操作のそれぞれとカメラの制御コマンドのそれぞれとを対応づけておき前記複数の操作ボタンの押下操作に対応するカメラの制御コマンドをネットワークに送出するように記述されたデータをカメラ制御サービスサーバから受信する受信工程と、
前記押下操作できる複数のボタンの識別情報と前記複数の制御コマンドの識別情報との対応関係を、前記携帯電話のディスプレイに一覧表示する表示工程と、を有することを特徴とするカメラ制御方法。
【請求項２】
前記押下操作できる複数のボタンの識別情報は、押下操作の対象となる各ダイヤルキーの数字または記号であることを特徴とする請求項１に記載のカメラ制御方法。
【請求項３】
前記ダイヤルキーの４と６がパン方向にカメラを動作させるコマンド、２と８がチルト方向にカメラを動作させるコマンドとして対応づけられているこことを特徴とする請求項２に記載のカメラ制御方法。
【請求項４】
前記携帯電話に送信するデータは、携帯電話の画面表示用の記述データであることを特徴とする請求項１に記載のカメラ制御方法。
【請求項５】
前記押下操作できる複数のボタンの識別情報と前記複数の制御コマンドの識別情報との対応関係は、前記記述データに記述されていることを特徴とする請求項４に記載のカメラ制御方法。
【請求項６】
前記受信されたデータに基づいて、前記携帯電話が有する複数のボタンのいずれかのボタンの押下操作に対応するカメラの制御コマンドを出力する出力工程をさらに有することを特徴とする請求項１に記載のカメラ制御方法。
【請求項７】
前記出力工程のコマンド出力の応答として前記カメラサービスサーバから出力された前記記述データを受信し、前記受信した記述データを用いて前記ディスプレイの画面表示を更新することを特徴とする請求項１に記載のカメラ制御方法。
【請求項８】
前記出力工程のコマンド出力の応答として前記カメラサービスサーバから出力されたカメラの画像を受信し、前記受信した画像を前記ディスプレイに表示することを特徴とする請求項６または７に記載のカメラ制御方法。
【請求項９】
前記携帯電話から出力される制御コマンドは、前記カメラのパン、チルト、ズーム、パンスピード、チルトスピード、ズームスピード、逆光補正、フォーカス、ホーム動作、プリセット、ホワイトバランス、シャッタースピード、電源、ワイパー、ウォッシャー、デフロスター、照明、画質調整、ＶＴＲの少なくともいずれか１つを制御するための制御コマンドであることを特徴とする請求項１〜８のいずれかに記載のカメラ制御方法。
【請求項１０】
カメラの制御サービスを提供するカメラ制御サービスサーバにネットワークを介して接続することにより、前記カメラを制御可能とする携帯電話において、使用者の所定操作に応じて、前記携帯電話が有する複数のボタンの押下操作のそれぞれとカメラの制御コマンドのそれぞれとを対応づけておき前記複数の操作ボタンの押下操作に対応するカメラの制御コマンドをネットワークに送出するように記述されたデータをカメラ制御サービスサーバから受信する受信手段と、
前記押下操作できる複数のボタンの識別情報と前記複数の制御コマンドの識別情報との対応関係を一覧表示するディスプレイと、を有することを特徴とする携帯電話。
【発明の詳細な説明】
【技術分野】
【０００１】
本発明は、例えば、携帯電話を用いて遠隔地のカメラを制御する方法に関するものである。
【背景技術】
【０００２】
従来、遠隔地のカメラを制御する場合、カメラに専用の制御端末を接続し、専用の操作端末とこの制御端末が通信する方法を用いて行なわれていた。
【０００３】
また、近年になり、インターネットなどのネットワークを介して、コンピュータのソフトウエアを操作することによって遠隔地のカメラを制御する方法がある。
【０００４】
しかしながら、上記いずれの場合も、カメラの制御には専用の操作端末ないしコンピュータが必要である。
【０００５】
また、制御端末が、電話回線からの信号を受信する機能と、ダイアルトーン信号（ＤＴＭＦ）を検出する機能とを備え、これに一般の電話機から電話をかけて、電話機のボタンでカメラを制御する方法がある。
【０００６】
遠隔機器制御等に関する技術が特許文献１〜５において開示されている。
【特許文献１】特開２０００−０９９３０６号公報
【特許文献２】特開２０００−０５９６８２号公報
【特許文献３】特開２０００−０５６２２６号公報
【特許文献４】特開２０００−２０７２１６号公報
【特許文献５】特開平１０−１６４４１９号公報
【発明の開示】
【発明が解決しようとする課題】
【０００７】
しかしながら、この方法では、制御端末が遠隔地にある場合でも、その制御端末まで直接、電話をかける必要があり、また、制御を行なうあいだ、電話をつなぎ続ける必要があるため、通信コストが大きいという問題があった。また、操作部の構成が特殊なために、不慣れなユーザにとっては操作の仕方が不明確となる問題があった。
【０００８】
本発明は上述した問題点を解決するためのものであり、携帯電話を用いて少ない通信コストでカメラ制御でき、さらに携帯電話のボタンによる押下操作の操作性を向上させたカメラ制御方法及び携帯電話を提供することを目的とする。
【課題を解決するための手段】
【０００９】
上記目的を達成するために、本発明のカメラ制御方法は、携帯電話を用いて、カメラの制御サービスを提供するカメラ制御サービスサーバに接続し、カメラを制御する方法であって、前記携帯電話において、使用者の所定操作に応じて、前記携帯電話が有する複数のボタンの押下操作のそれぞれとカメラの制御コマンドのそれぞれとを対応づけておき前記複数の操作ボタンの押下操作に対応するカメラの制御コマンドをネットワークに送出するように記述されたデータをカメラ制御サービスサーバから受信する受信工程と、前記押下操作できる複数のボタンの識別情報と前記複数の制御コマンドの識別情報との対応関係を、前記携帯電話のディスプレイに一覧表示する表示工程と、を有することを特徴とする。
【００１０】
また、本発明の携帯電話によれば、カメラの制御サービスを提供するカメラ制御サービスサーバにネットワークを介して接続することにより、前記カメラを制御可能とする携帯電話において、使用者の所定操作に応じて、前記携帯電話が有する複数のボタンの押下操作のそれぞれとカメラの制御コマンドのそれぞれとを対応づけておき前記複数の操作ボタンの押下操作に対応するカメラの制御コマンドをネットワークに送出するように記述されたデータをカメラ制御サービスサーバから受信する受信手段と、前記押下操作できる複数のボタンの識別情報と前記複数の制御コマンドの識別情報との対応関係を一覧表示するディスプレイと、を有することを特徴とする。
【発明の効果】
【００１１】
本発明によれば、携帯電話を用いて少ない通信コストでカメラ制御でき、さらに携帯電話のボタンによる押下操作の操作性を向上させることができる。
【発明を実施するための最良の形態】
【００１２】
以下、添付の図面に沿って本発明の実施の形態を説明する。
【００１３】
図１は本実施例の形態におけるカメラを制御するシステム構成図である。
【００１４】
携帯電話１は、インターネット接続機能を有する。インターネット接続サービスセンター２は、携帯電話２からの接続要求によってインターネット３に接続する。インターネット３は、ＬＡＮ間を接続する。カメラ制御サービスサーバ４はコンピュータによって構成され、インターネット３を介してカメラの制御に関するコマンドを受信する。ケーブル５は、ＩＳＤＮ回線によって形成され、カメラ制御サービスサーバ４において受信されたカメラ制御コマンドをネットワークカメラサーバ６に転送する。
【００１５】
カメラ７は、パン，チルト，ズームの駆動が可能である。ネットワークカメラサーバ６はカメラ制御サービスサーバ４から転送された制御コマンドに基づいてＲＳ−２３２Ｃなどのシリアル通信によってカメラ７を制御する。中継機器８はカメラ７の映像を中継する。映像放送局９は中継機器８からの映像を受信する。モニタ１０は映像放送局１０によって受信された映像を表示する。
【００１６】
図２は携帯電話１の詳細を示す図である。
【００１７】
液晶ディスプレイ１１は、ネットワークを介して受信されたカメラ７の撮像画像を表示可能である。また、ボタン１２は、電話番号の入力とカメラ制御コマンドの入力を兼用している。
【００１８】
図３はカメラ制御サービスサーバ４に利用されるコンピュータの構成図である。
【００１９】
ＣＰＵ３１はカメラ制御サービスサーバ全体を統括制御する。主記憶部３２はＲＡＭなどによって構成される。外部記憶装置３３はフロッピー（登録商標）ディスクあるいはＣＤ−ＲＯＭなどの取り外し可能な記憶装置である。二次記憶装置３４はハードディスクなどによって構成される。マウス３５はポインティングデバイスとして機能する。３６はキーボード、３７はネットワークインタフェース、３８はビデオボード、３９はモニタである。
【００２０】
図７はカメラ制御サービスサーバ４のソフトウエア構成を示す図である。
【００２１】
カメラ制御サービスサーバ４において、Ｗｅｂサーバ７１が動作しており、また、カメラ制御サービスを開始するカメラ制御サービス開始用ＣＧＩ（Ｃｏｍｍｏｎ  Ｇａｔｅｗａｙ  Ｉｎｔｅｒｆａｃｅ）プログラム７２、およびカメラ制御サービスを実現するカメラ制御サービスＣＧＩプログラム７３がインストールされている。
【００２２】
次に、本実施の形態におけるカメラ制御方法を説明する。図４は、携帯電話１の液晶ディスプレイ１１の表示画面である。
【００２３】
所定の操作により、利用者が携帯電話１からカメラ制御サービスサーバ４のＵＲＬにアクセスすると、インターネット接続サービスセンター２を経由してカメラ制御サービスに関連するＨＴＭＬデータが携帯電話１に送られ、そのＨＴＭＬデータに基づいて液晶ディスプレイ１１上に図４のように表示が実行される。ここで携帯電話１からの所望のＵＲＬのアクセス操作は公知の方法を用いて行なうことができるので説明は省略する。
【００２４】
ここで、例えば、ボタン１２の「６」ボタンが押されると、「６」ボタンが押されたことがインターネット接続サービスセンター２へ通知され、さらにインターネット３経由で遠隔のカメラ制御サービスサーバ４に通知される。
【００２５】
カメラ制御サービスサーバ４は、受信された信号を解釈し、さらにＩＳＤＮ回線７経由でネットワークカメラサーバ６へ「右へパン」コマンドを送信する。ネットワークカメラサーバ６はさらに、カメラ７へシリアル通信で「右へパン」コマンドを送信し、これを受信したカメラ７は右へ一定量、パンする。
【００２６】
同様に、ボタン「１」が押されると、逆光補正機能をオン／オフし、ボタン「２」が押されると、上へチルトし、ボタン「３」が押されると、ズームアップし、ボタン「４」が押されると、左へパンし、ボタン「５」が押されると、ホームポジションへ復帰し、ボタン「８」が押されると、下へチルトし、ボタン「９」が押されると、ズームダウンし、ボタン「＊」が押されると、一回の操作でパンチルトする量が小さくなり、ボタン「＃」が押されると、一回の操作でパンチルトする量が大きくなる。ボタン「０」が押されると、カメラ制御サービスを終了する。
【００２７】
こうしてパンしたカメラ７の映像は中継器７を経由してテレビジョン放送局などの映像放送局８から放送され、モニタ１０に表示される。
【００２８】
図５は、図４に示したカメラ制御サービスの画面のＨＴＭＬデータを示す図である。なお、図５ではＣｏｍｐａｃｔ  ＨＴＭＬで記述されるデータを示している。
【００２９】
図５において、ＩＣＣはカメラ制御サービスＣＧＩのコマンド名、ＣＧＩのＩＤ引数はカメラ制御権を識別するための識別ＩＤである。ＣＭＤ引数は制御の種類を示す識別子である。Ａタグのａｃｃｅｓｓ  ｋｅｙ属性を指定することで、携帯電話１の利用者は、ボタン１２の押下のみでＣＧＩ呼び出しを行なえるようになっている。
【００３０】
本実施の形態のカメラ制御方法の利用者の通信コストは、遠隔のカメラ７との距離にかかわらず、携帯電話１とインターネット接続サービスセンター２との間のパケット量（通信データ量）に応じて課金されるものとする。このパケット量の合計は、インターネット接続サービスセンター２において算出される。このような課金制度を利用することによって、カメラ制御のための通信料金を大幅に削減することができる。
【００３１】
この他、カメラ制御サービスのサービス料として、制御コマンドの送信回数に比例して利用者に課金することが考えられる。この場合、インターネット接続サービスセンター２において、携帯電話１からの制御コマンドの送信回数をカウントするソフトウエアを有することによって達成される。
【００３２】
この他、カメラ制御サービスのサービス料として、月額で利用者に課金することが考えられる。
【００３３】
次に、カメラ制御サービスサーバ４のソフトウエアによる動作をくわしく説明する。
【００３４】
まず、携帯電話１がカメラ制御サービスサーバ４にアクセスすると、カメラ制御サービス開始用のＣＧＩ７２が起動する。
【００３５】
カメラ制御サービス開始用のＣＧＩ７２は、アクセスした利用者に対してカメラ７の制御権の付与が可能かどうかを判定する。カメラ７の制御権の付与が可能な場合、図５の画面データを携帯電話１に返信する。
【００３６】
携帯電話１は、返信されたデータを解釈し、液晶ディスプレイ１１に図４の画面を表示する。
【００３７】
ここで、例えばボタン１２の「６」ボタンが押されると、ａｃｃｅｓｓ  ｋｅｙ属性が付加されたＡタグの指定に従い、携帯電話１はＩＣＣ  ＣＧＩを引数付きで呼び出すよう、ＨＴＴＰコマンドを発行する。
【００３８】
このＨＴＴＰコマンドをカメラ制御サービスサーバ４のＷｅｂサーバ７１が受信すると、カメラ制御サービスＣＧＩ（ＩＣＣ）７２の起動が実行される。
【００３９】
図６は、起動開始後のカメラ制御サービスＣＧＩ７２の動作を示すフローチャートである。
【００４０】
図６において、カメラ制御サービスＣＧＩ７２は起動が実行されると、まず、受信した信号のＩＤアドレスの引数を解析する（ステップ６１）。
【００４１】
次に、ＩＤ引数の値が現在、カメラ７に対する制御権を付与している携帯電話１のＩＤと一致するか判定する（ステップ６２）。一致しない場合は、処理を中止し、受信した引数のＩＤの携帯電話に対してエラーメッセージを出力する（ステップ６６）。
【００４２】
ＩＤが一致した場合は、そのＩＤを有する携帯電話に対して、カメラを制御する権利が時間切れとなり、権利が消滅しているかどうか判定する（ステップ６３）。時間切れの場合は処理を中止し、ステップ６６へ進む。時間切れでない場合、ＣＭＤ引数に対応するカメラ制御コマンドをネットワークカメラサーバ６へ送り、カメラ７の動作終了の返信を待つ（ステップ６４）。
【００４３】
カメラ７の動作が終了すると、図５に示すＨＴＭＬデータを出力する（ステップ６５）。こうして出力されたＨＴＭＬデータは、Ｗｅｂサーバ７１がＣＧＩコールのリプライとしてインターネット３へ送出し、インターネット接続サービスセンター２を経由して、携帯電話１に転送される。そうして、再び図４と同じ画面が携帯電話１の液晶ディスプレイ１１上に表示される。
【００４４】
なお、本実施の形態における携帯電話１からのカメラ制御は、パン、チルト、ズームの他、パンスピード、チルトスピード、ズームスピード、フォーカス、プリセット、ホワイトバランス、シャッタースピード、電源のオン／オフ、ワイパー、ウォッシャー、デフロスター、照明、画質調整、画像記録の実行など、ボタン１２を押圧することにより制御してもよい。カメラ７の画像記録は静止画および動画のいずれでもよく、ネットワークカメラサーバ６にハードディスクなどの２次記憶装置を設置し、該２次記憶装置に画像を記録しておくことによって達成される。
【００４５】
また、カメラ７の映像の遠隔への送信は、テレビ放送を利用する以外にも、インターネット３やＬＡＮを利用して送信してもよいし、電話回線で送信してもよいし、無線装置で送信してもよい。また、映像を静止画や動画で録画する構成としてもよい。インターネット上に送信する場合、ネットワークカメラサーバ６，カメラ制御サービスサーバ４を介してインターネット３上にカメラ７の映像を出力すればよい。インターネット上に送信された映像は、携帯電話１の液晶ディスプレイ１１上に表示することができる。
【００４６】
また、本実施の形態において、画面データはＣｏｍｐａｃｔ  ＨＴＭＬで記述したが、携帯電話１の情報端末サービスの種類に合わせて、ＭＭＬやＨＤＭＬやＷＭＬで記述してもよい。また、カメラ制御サービスサーバ４はこれらすべての情報サービスの規格を同時にサポートする形態が望ましい。
【００４７】
また、本実施の形態では、カメラ制御サービスサーバ４はネットワークカメラサーバ６経由でカメラ制御をする構成としたが、カメラ７がネットワークインタフェースを持つネットワークカメラの場合、カメラ制御サービスサーバ４がカメラ７を直接制御する構成としてもよいし、あるいは、カメラ制御サービスサーバ４とカメラ７をシリアル接続して直接制御する構成としてもよい。
【００４８】
また、本実施の形態では、インターネット３を経由してカメラ７を制御したが、ＴＣＰ／ＩＰを利用可能なインターネット３以外のネットワークを使用してもよい。また、本実施の形態では、カメラ制御サービス開始用ＣＧＩ７１とカメラ制御サービスＣＧＩ７２を別プログラムとして構成したが、ひとつのＣＧＩプログラムにまとめて、引数に応じて動作を切り替えるよう構成してもよい。
【００４９】
また、本実施の形態では、インターネット接続サービスセンター２経由でインターネット接続する携帯電話を用いたが、カメラ制御サービスサーバに代表される中継局から直接インターネット接続できる携帯電話や直接ＴＣＰ／ＩＰプロトコルを解釈できる携帯電話を用いてもよい。
【図面の簡単な説明】
【００５０】
【図１】本発明の実施の形態におけるカメラ制御システムの構成図。
【図２】本発明の実施の形態の携帯電話の構成図。
【図３】本発明の実施の形態のカメラ制御サービスサーバの構成図。
【図４】本発明の実施の形態のカメラ制御サービスを行なう携帯電話の表示画面を示す図。
【図５】本発明の実施の形態の携帯電話のカメラ制御サービスを行なう表示画面のデータを示す図。
【図６】カメラ制御サービスＣＧＩの動作を示すフローチャート。
【図７】カメラ制御サービスサーバのソフトウェア構成を示す図である。
【符号の説明】
【００５１】
１  携帯電話
２  インターネット接続サービスセンター
３  インターネット
４  カメラ制御サービスサーバ
６  ネットワークカメラサーバ
７  カメラ
９  映像放送局
１０  モニタ
【図１】
2005245043.tif 000003
【図２】
2005245043.tif 000004
【図３】
2005245043.tif 000005
【図４】
2005245043.tif 000006
【図５】
2005245043.tif 000007
【図６】
2005245043.tif 000008
【図７】
2005245043.tif 000009